(57)【特許請求の範囲】
【請求項１】
前側のフードを移動フードとし、後側のフードを固定フードとした前後１対のフードを有し、下側にトリガーを設けていると共に、該トリガーの径方向反対側である上側には前記固定フードを設けると共に竿杆が挿通する挿通孔を有するリール装着部本体と、該リール装着部本体に隣接した後側に、柔軟な部材からなるグリップ体を配設した釣竿ハンドル部の構造において、
前記グリップ体の前端面は下側よりも上側が前方に位置した状態の傾斜状に形成されており、
前記リール装着部本体の後端部は、前記グリップ体の前端面と合致する傾斜状部を下側部に具備し、上側部には前記グリップ体の前端部を上側から覆って当接している延伸部を具備している
ことを特徴とするトリガー付き釣竿。
【発明の詳細な説明】
【技術分野】
【０００１】
本発明は、キャスティングロッド等のトリガー付き釣竿に関する。
【背景技術】
【０００２】
トリガー付きの釣竿として、例えば本出願人による下記特許文献１には、リール取付部（リール装着部本体）１４とその直後の後握部（グリップ体）１６とは、端面を傾斜状の当接面にして当接させている状態が図面に開示されている。これは、人差し指か中指をトリガーに掛けてキャスティング等の釣り操作を行う場合に、把持した手の各指ができるだけ感触の良い柔軟性部材からなる後握部に当接するように工夫したものである。また、こうした傾斜状当接面ではなく、垂直状当接面のものもある。
【特許文献１】実開平６−３０７４号公報
【発明の開示】
【発明が解決しようとする課題】
【０００３】
然しながら、傾斜状端面のリール装着部本体とグリップ体とを現実に当接、押圧させて接着固定しようとすると、押圧力の一部が両部材に傾斜状端面に沿った相対ずれを生じさせる。そのため、グリップ体の前端上部がリール装着部本体の上面よりも幾分かではあるが上側に突出する状態となる。グリップ体はコルク製であったり発泡性の樹脂製であったりという柔軟部材製であると共に、釣りの際にこの領域は常に把持されるため、グリップ体前端上部が時として欠けるという不具合があった。また、垂直状当接面の場合でも、グリップ体前端上部は親指や掌が接触することが多く、摩損や欠損し易い部位である。
依って解決しようとする課題は、グリップ体前端上部の破損し難い釣竿を提供することである。
【課題を解決するための手段】
【０００４】
第１の発明では、前側のフードを移動フードとし、後側のフードを固定フードとした前後１対のフードを有し、下側にトリガーを設けていると共に、該トリガーの径方向反対側である上側には前記固定フードを設けると共に竿杆が挿通する挿通孔を有するリール装着部本体と、該リール装着部本体に隣接した後側に、柔軟な部材からなるグリップ体を配設した釣竿ハンドル部の構造において、前記グリップ体の前端面は下側よりも上側が前方に位置した状態の傾斜状に形成されており、前記リール装着部本体の後端部は、前記グリップ体の前端面と合致する傾斜状部を下側部に具備し、上側部には前記グリップ体の前端部を上側から覆って当接している延伸部を具備していることを特徴とするトリガー付き釣竿を提供する。
【発明の効果】
【０００５】
第１の発明では、リール装着部本体後端部の下側部に具備する傾斜状部とグリップ体の傾斜状前端面との当接、押圧によるグリップ体前端部のせり上がりは、リール装着部本体後端部上側部の延伸部の存在によって規制されると共に当該部位が保護され、後側グリップ体前端部上部の欠損を防止できる。
【発明を実施するための最良の形態】
【０００６】
以下、本発明を図面を参照しつつ詳細に説明する。図１は本発明に係るトリガー付き釣竿としてのルアーロッドのハンドル部付近の側面図、図２はその平面図、図３は図１のＣ部の拡大縦断面図、図４は図１の矢視線Ｄ−Ｄによる拡大横断面図である。エポキシ樹脂等の合成樹脂マトリックスを炭素繊維等の強化繊維で強化した繊維強化樹脂製竿杆１０がハンドル部に挿通され、接着固定されている。ハンドル部の一要素としてのリール装着部本体１２の前側には他の要素の前側グリップ体を兼ねたナット部材１４が配設されており、後側には更に他の要素としての後側グリップ体２０が配設されている。
【０００７】
リール装着部本体１２はポリアミド、ＡＢＳ樹脂等の合成樹脂材で形成された構造体としての硬度を有しており、把持操作等では変形しない。一方、後側グリップ体２０は、天然や人工のコルク又はＥＶＡ等の発泡性合成樹脂で形成されており、把持すれば弾力性を感じる程度の柔軟部材である。また、ナット部材１４は、その外周に後側グリップ体２０と同様な部材を配設しており、把持性を向上させている。
【０００８】
リール装着部本体１２はその下側後端部近くにトリガーＴを形成しており、その径方向反対側付近、即ち、上側付近には固定フードＦ１を形成している。一方、この固定フードと対向する前側には、前記ナット部材１４の後側開口部によって移動フードＦ２を形成している。また、リール装着部本体１２には、竿杆１０の挿通する挿通孔１２Ｈが形成されている。また、後側グリップ体２０の前端面２０Ｋは上側が前方になるように傾斜した傾斜面になっている他、図示しないが、竿杆１０の挿通する挿通孔が設けられている。
【０００９】
リール装着部本体の後端部は、概ね下側半分の領域に、前記後側グリップ体２０の前端面（傾斜面）２０Ｋに合致する傾斜状部１２Ｋを有している。一方、上側領域部には、後方に向かって延伸した延伸部１２Ａを有しており、該延伸部は後側グリップ体２０の前端部２０Ｅの上面領域を上側から覆って当接している。但し、後側グリップ体２０の前端部２０Ｅは、その上部が図３に破線で示すように面取りされている場合もあり、延伸部内面と後側グリップ体前端部上面とは部分的に当接するだけの場合もある。何れにしても、後側グリップ体２０の前端部上部は固い延伸部で覆われているため、保護され、欠損が防止される。
【００１０】
この例では、図４に示すように、リール装着部本体１２の後端部の上部を除いた部分と後側グリップ体２０の前端部を断面円形（の一部）に形成しているが、形状は任意である。リール装着部本体の挿通孔１２Ｈの孔径は竿杆１０の外径よりも大きくしており、接着剤を配設する隙間を設けている。従って、ハンドル部の組み立て時に、この隙間分の組立誤差を生じ得る。また、後側グリップ体２０も同様である。従って、リール装着部本体後端部の外径と後側グリップ体前端部の外径とを同じにしていても、工夫が無ければ、その組立誤差によって互いの当接境界部に段差を生じることがある。
【００１１】
ハンドル部を把持した場合、把持手やその指先はハンドル部の側面部に当たる。このため、特にハンドル部側面となる両部材境界の側面部ＳＡに段差を生じないようにすることが大切である。リール装着部本体１２の挿通孔１２Ｈの中心軸線１２Ｊを通る水平面が交差するハンドル部表面の付近が前記側面部ＳＡである。
【００１２】
延伸部１２Ａはその内面を後側グリップ体２０の外周面形状に合致する形状、即ち、同じ径の円弧曲面に形成しているため、既述の隙間に起因して、リール装着部本体と後側グリップ体との左右方向相対位置がずれようとしても、この延伸部内面によって後側グリップ体のずれを規制でき、各部品１２，２０の左右幅寸法が同じ場合、前記側面部ＳＡに段差が生じるのを防止できる。
【００１３】
図５は、本発明の変形例を説明するための図であり、図４に対応する図である。異なるのは、リール装着部本体１２’の後端部と後側グリップ体２０’の前端部を当接させた場合の断面が円形とはならず、断面非円形となっていることである。但し、各部品は左右対称形状である。一方、延伸部１２Ａ’の内面は円弧又は円弧以外の曲面でもよいが、後側グリップ体２０’の外周面の曲率よりも大きな曲率の曲面としている。従って、延伸部内面の左右端部Ｐ１，Ｐ２において後側グリップ体２０’の外表面と当接する。各端部Ｐ１，Ｐ２は挿通孔１２Ｈの中心軸線１２Ｊから等距離にある。
【００１４】
この例の場合も、挿通孔の中心軸線１２Ｊの高さに対応する各部品１２’，２０’単体での左右幅寸法が同じ場合、前記側面部ＳＡに段差が生じるのを防止できる。
【００１５】
以上では、後側グリップ体の前端面が傾斜している場合について説明したが、前端面が垂直面に形成されていても、その前端部の上部はリール装着部本体の延伸部の存在によって保護される。また、図４と図５によって説明したように、既述の隙間に起因して、リール装着部本体と後側グリップ体との左右位置がずれようとしても、延伸部内面によって後側グリップ体のずれを規制でき、リール装着部本体と後側グリップ体の左右幅寸法が同じ場合、側面部に段差が生じるのを防止できることは同様である。
【産業上の利用可能性】
【００１６】
本発明は、トリガーを有するキャスティングロッド等の釣竿に利用できる。
【図面の簡単な説明】
【００１７】
【図１】図１は本発明に係るトリガー付き釣竿としてのルアーロッドのハンドル部付近の側面図である。
【図２】図２は図１の釣竿の平面図である。
【図３】図３は図１のＣ部の拡大縦断面図である。
【図４】図４は図１の矢視線Ｄ−Ｄによる拡大横断面図である。
【図５】図５は図４に対応する変形例の図である。
【符号の説明】
【００１８】
１０                    竿杆
１２                    リール装着部本体
１２Ａ                  延伸部
１２Ｋ                  傾斜状部
２０                    後側グリップ体
２０Ｅ                  前端部
２０Ｋ                  前端面
【図１】
0004812036.tif 000002
【図２】
0004812036.tif 000003
【図３】
0004812036.tif 000004
【図４】
0004812036.tif 000005
【図５】
0004812036.tif 000006